【手続補正書】
【提出日】令和1年5月30日(2019.5.30)
【手続補正１】
【補正対象書類名】明細書
【補正対象項目名】００２５
【補正方法】変更
【補正の内容】
【００２５】
タイリング画像５全体のサイズ（本実施形態では横幅）は予め決まっている。このため、重畳領域３Ａ、３Ｂ、３Ｃのサイズの合計、すなわち幅ＷＡ、ＷＢ、ＷＣの和は一定である。このため、幅ＷＢを決定した後に、タイリング画像５全体のサイズの規定値に基づき、幅ＷＡ、ＷＣが決定される。
【手続補正２】
【補正対象書類名】明細書
【補正対象項目名】００３２
【補正方法】変更
【補正の内容】
【００３２】
図３及び図４に示す輝度は、例えば、むら測定装置３０が撮像画像データに基づき検出することができる。
図３において曲線Ｃ１は、プロジェクター１０Ａが投射する投射画像２Ａの輝度を示す。曲線Ｃ２はプロジェクター１０Ｂが投射する投射画像２Ｂの輝度を示し、曲線Ｃ３はプロジェクター１０Ｃが投射する投射画像２Ｃの輝度を示す。また、曲線Ｃ４はプロジェクター１０Ｄが投射する投射画像２Ｄの輝度を示す。一般的なプロジェクターは、曲線Ｃ１〜Ｃ４と同様に、中央付近に輝度のピークがあり、投射画像２の端部の輝度が低くなるという特性を有する。また、曲線Ｃ１〜Ｃ４は、輝度のピーク位置、最大輝度、位置と輝度の相関が異なっている。これは、４台のプロジェクター１０の輝度特性の個体差を示している。
【手続補正３】
【補正対象書類名】明細書
【補正対象項目名】００５５
【補正方法】変更
【補正の内容】
【００５５】
インターフェイス（Ｉ／Ｆ）部１６は、画像処理装置１００に接続され、画像処理装置１００から入力される分割画像データ６を取得する。
画像処理部１７は、制御部１１の制御に従って、インターフェイス部１６に入力される分割画像データ６に対し、画像処理を実行する。画像処理部１７が実行する処理は、３Ｄ（立体）画像と２Ｄ（平面）画像の判別処理、解像度変換処理、フレームレート変換処理、歪み補正処理、デジタルズーム処理、色調補正処理、輝度補正処理等である。画像処理部１７は、制御部１１により指定された処理を実行し、必要に応じて、制御部１１から入力されるパラメーターを使用して処理を行う。また、上記のうち複数の処理を組み合わせて実行することも勿論可能である。画像処理部１７は、処理後の画像を表示するための画像信号を、変調部１４に出力し、変調部１４により描画を実行させる。
【手続補正４】
【補正対象書類名】明細書
【補正対象項目名】００６８
【補正方法】変更
【補正の内容】
【００６８】
配置決定部１８０は、ステップＳ３４で取得した条件に従い、ステップＳ３１で取得した測定値を用いて、タイリング画像５に含まれるいずれかの重畳領域３のサイズを決定する（ステップＳ３５）。配置決定部１８０は、タイリング画像５に含まれる全ての重畳領域３のサイズを決定したか否かを判定し（ステップＳ３６）、サイズを決定していない重畳領域３がある場合は（ステップＳ３６；Ｎｏ）、ステップＳ３５の処理を再度実行する。全ての重畳領域３についてサイズを決定した場合（ステップＳ３６；Ｙｅｓ）、画像処理装置１００は図７の処理に戻る。
なお、配置決定部１８０は、ステップＳ３５の処理を１回行うことにより、タイリング画像５に含まれる複数の重畳領域３のサイズを算出してもよい。
【手続補正５】
【補正対象書類名】明細書
【補正対象項目名】００７２
【補正方法】変更
【補正の内容】
【００７２】
好ましい補正が可能な範囲は、例えば、輝度の比により特定できる。
例えば、下記式（１）、（２）を満たすような、位置Ｂ２Ｒ、Ｂ３Ｌを決定すればよい。但し、αは、ピーク輝度に対する重畳領域３Ｂの輝度の基準値であり、予め設定され、画像処理装置１００が記憶する値である。
Ｙｂ２ｒ／Ｙｐ２＞α  …（１）
Ｙｂ３ｌ／Ｙｐ３＞α  …（２）
【手続補正６】
【補正対象書類名】明細書
【補正対象項目名】００７３
【補正方法】変更
【補正の内容】
【００７３】
ここで、図３に示すように、対象の重畳領域３（ここでは重畳領域３Ｂ）を構成する２つの投射画像２のピーク輝度に差がある場合には、上記式（１）、（２）のいずれかの条件を満たすように、境界位置を決定してもよい。図３の重畳領域３Ｂでは、ピーク輝度Ｙｐ３とピーク輝度Ｙｐ２との差から、位置Ｐ３から位置Ｐ２にかけて輝度が低下することが明らかである。このような場合は、仮に重畳領域３Ｂの輝度むらを解消できたとしても、輝度の変化（位置Ｐ３から位置Ｐ２にかけての輝度の低下）が生じる。このため、上記（２）の制約を設けなくても、違和感を与えるような輝度むらを防ぐことができる。
【手続補正７】
【補正対象書類名】明細書
【補正対象項目名】００８３
【補正方法】変更
【補正の内容】
【００８３】
詳細には、ステップＳ５３において、補正目標値算出部１３０は、白色べた画像である測定用パターンを投射した場合の輝度を基準として、重畳領域３を投射する２台のプロジェクター１０の目標値を算出する。重畳領域３Ｂについて白色目標値を求める場合、補正目標値算出部１３０は、まず、図３の位置Ｂ２Ｒにおける輝度Ｙｂ２ｒ及び位置Ｂ３Ｌにおける輝度Ｙｂ３ｌのうち、低い方の輝度に対応するプロジェクター１０をむら補正処理対象とする。図３の例では、Ｙｂ２ｒ＜Ｙｂ３ｌであるため、輝度Ｙｂ２ｒに対応するプロジェクター１０Ｂを、むら補正処理対象とする。つまり、プロジェクター１０Ｂの位置Ｂ２Ｒにおける輝度を上げることで、位置Ｂ２Ｒ，Ｂ３Ｌにおける明るさの谷を目立たなくすることができる。
【手続補正８】
【補正対象書類名】明細書
【補正対象項目名】００９２
【補正方法】変更
【補正の内容】
【００９２】
補正処理部１６１は、補正ＬＵＴ選択部１２０により選択されたむら補正ＬＵＴを補正ＬＵＴ記憶部１７１から取得する（ステップＳ７２）。補正処理部１６１は、取得したむら補正ＬＵＴに基づき、画像分割処理部１１０から入力される画像データの階調値を補正する（ステップＳ７３）。
同様に、補正処理部１６２、１６３、１６４は、補正ＬＵＴ選択部１２０により選択されたむら補正ＬＵＴを補正ＬＵＴ記憶部１７２，１７３、１７４からそれぞれ取得する（ステップＳ７２）。補正処理部１６２、１６３、１６４は、取得したむら補正ＬＵＴに基づき、画像分割処理部１１０から入力される画像データの階調値を補正する（ステップＳ７３）。
【手続補正９】
【補正対象書類名】明細書
【補正対象項目名】００９８
【補正方法】変更
【補正の内容】
【００９８】
また、好ましくは、複数のプロジェクター１０が並ぶ所定方向における重畳領域３の大きさに関して、いずれかの重畳領域３が、他の重畳領域３とは異なる大きさである。本実施形態では、プロジェクター１０が水平方向に並んでおり、この水平方向に沿った重畳領域３の幅、或いはサイズが、他の重畳領域とは異なる。この構成により、プロジェクター１０が並ぶ方向における重畳領域３の大きさに差を設けることで、この所定方向におけるむら補正を、一部の重畳領域３に対して高精度で調整可能となる。例えば、複数のプロジェクター１０が、鉛直方向に並べて配置された場合、この鉛直方向における重畳領域３のサイズ（高さ）が、他の重畳領域３のサイズより大きく設定されてもよい。鉛直方向、或いは水平方向は、重力を基準に定めてもよいしスクリーンＳＣのタイリング画像５を基準として定められる方向であってもよい。
【手続補正１０】
【補正対象書類名】明細書
【補正対象項目名】０１００
【補正方法】変更
【補正の内容】
【０１００】
また、プロジェクションシステム１は、画像処理装置１００を備える。画像処理装置１００は、各々のプロジェクター１０の特性に基づいて複数のプロジェクター１０の配置を決定する配置決定部１８０を有する。また、画像処理装置１００は、配置決定部１８０が決定した配置に従ってプロジェクター１０の設置状態を示すガイド画像をプロジェクター１０に投射させる画像分割処理部１１０を有する。これにより、プロジェクター１０の特性に基づき配置を決定し、決定した配置に従ってプロジェクター１０を設置する作業をガイドすることができる。これにより、タイリング画像５に含まれるいずれか１以上の重畳領域３のむらを、より高精度で調整できる。さらに、プロジェクター１０を設置する作業を支援できる。
【手続補正１１】
【補正対象書類名】図面
【補正対象項目名】図９
【補正方法】変更
【補正の内容】
【図９】
2018005018.tif 000001